(57)【要約】【課題】液晶画像表示装置において、ホワイトバランス調整を行うための調整用画像を、調整用画像データを入力するための外部機器を用いることなく表示できるようにする。【解決手段】液晶画像表示装置である液晶テレビ１は、カラー画像を表示するための液晶パネル３と、ホワイトバランス調整を行うために用いる調整用画像の画像データである調整用画像データを記憶した調整用画像メモリ５と、液晶テレビ１の動作を制御する制御部９とを備える。制御部９は、ＣＰＵ１１及びＲＯＭ１２等を有している。ＲＯＭ１２は、カラー画像を色度調整するための色度調整値を記憶している。制御部９は、調整用リモコン８０から無線信号による調整開始信号を受信すると、調整用画像メモリ５に記憶している調整用画像データを読み出して、その調整用画像データによる調整用画像を、ＲＯＭ１２に記憶している色度調整値により色度調整したうえで、液晶パネル３に表示させる。【選択図】図１
2009294296.tif 000002
【特許請求の範囲】
【請求項１】
カラー画像を表示するための液晶パネルと、カラー画像を色度調整するための色度調整値を記憶した色度調整値メモリとを備え、画像データによる画像を、前記色度調整値メモリに記憶している色度調整値により色度調整したうえで、前記液晶パネルに表示する液晶画像表示装置において、
前記色度調整値メモリに記憶している色度調整値の調整であるホワイトバランス調整を行うホワイトバランス調整手段と、
前記ホワイトバランス調整手段によりホワイトバランス調整を行うために用いる調整用画像の画像データである調整用画像データを記憶した調整用画像メモリと、
所定の操作又は所定の信号入力を受けて、前記調整用画像メモリに記憶している調整用画像データによる調整用画像を、前記色度調整値メモリに記憶している色度調整値により色度調整したうえで、前記液晶パネルに表示させる調整用画像表示手段と、
を備えることを特徴とする液晶画像表示装置。
【請求項２】
本装置の動作を制御するために人に操作され、その操作に対応付けられた無線信号を送信する操作手段と、
前記操作手段から送信される無線信号を受信する受信部と、をさらに備え、
前記調整用画像表示手段は、前記受信部から無線信号により前記所定の信号入力を受けて、前記調整用画像メモリに記憶している調整用画像データによる調整用画像を、前記色度調整値メモリに記憶している色度調整値により色度調整したうえで、前記液晶パネルに表示させる、
ことを特徴とする請求項１に記載の液晶画像表示装置。
【請求項３】
前記液晶パネルに表示される調整用画像の色温度を測定する色温度測定器が接続されて、その色温度測定器から出力される色温度の測定値が入力される測定値入力部をさらに備え、
前記ホワイトバランス調整手段は、前記測定値入力部から入力される測定値に基いて、前記液晶パネルに表示される調整用画像の色温度が予め規定した規定範囲内となるように、自動的に、前記色度調整値メモリに記憶している色度調整値を調整してホワイトバランス調整を行う、
ことを特徴とする請求項１に記載の液晶画像表示装置。
【請求項４】
前記ホワイトバランス調整手段は、前記調整用画像表示手段により前記液晶パネルに調整用画像を表示させたときに、自動的に、前記測定値入力部から入力される測定値に基いて、前記ホワイトバランス調整を行う、
ことを特徴とする請求項３に記載の液晶画像表示装置。
【請求項５】
放送局から配信されるテレビジョン放送信号を受信して、テレビジョン放送信号に基く画像データによる画像を、前記色度調整値メモリに記憶している色度調整値により色度調整したうえで、前記液晶パネルに表示する、
ことを特徴とする請求項１に記載の液晶画像表示装置。
【発明の詳細な説明】
【技術分野】
【０００１】
本発明は、液晶パネルを用いてカラー画像を表示する液晶画像表示装置に関するものである。
【背景技術】
【０００２】
従来から、液晶パネルを用いてカラー画像を表示する液晶画像表示装置として、放送局から配信されるテレビジョン放送信号をチューナによって受信して、テレビジョン放送信号に基く画像データによる画像を液晶パネルに表示する、いわゆる液晶テレビと呼ばれる装置がある。このような液晶テレビでは、カラー画像を色度調整するための色度調整値を予め記憶しており、画像データによる画像を、その色度調整値により色度調整したうえで、液晶パネルに表示するようになっている。色度調整とは、画像の赤、緑、青の各色の強度の調整であり、画像全体の色合いに反映される。
【０００３】
ところで、個々の液晶テレビの液晶パネルには個体差がある。従って、ある同じ画像に対して、個々の液晶テレビにおいて同じ色度調整値によって同じように色度調整を行ったとしても、個々の液晶テレビの液晶パネルの個体差のために、個々の液晶テレビにおいて表示される画像の色合いに差異を生じてしまう。
【０００４】
そこで、従来の液晶テレビでは、個々の液晶テレビにおける表示画像の色合いの差異（すなわち液晶パネルの個体差による表示画像の色合いの差異）をなくすために、出荷前に、色度調整値の調整であるホワイトバランス調整を行っている。
【０００５】
このホワイトバランス調整は、調整用画像（例えば所定の色温度の白色画像）を、色度調整値により色度調整したうえで、液晶パネルに表示させると共に、その表示された調整用画像の色温度を外部機器である色温度測定器によって測定し、そして、その色温度測定器の色温度測定値が規定値となるように（すなわち液晶パネルに表示された調整用画像が規定の色温度の白色画像となるように）、色度調整値を調整することにより行われる。
【０００６】
このとき、調整用画像の表示は、液晶テレビに外部機器である調整用画像入力器を接続して、調整用画像入力器から調整用画像の画像データである調整用画像データを液晶テレビに入力することにより行われる。調整用画像データは、アナログ信号によって、液晶テレビのチューナに入力される。
【０００７】
また、撮像した画像を、その撮像した画像の色情報に基いて色合いの調整をしたうえで、液晶パネルに表示するようにしたデジタルカメラが知られている（例えば特許文献１参照）。また、テレビジョン放送信号に基く画像データによる画像を、ＲＯＭに記憶している調整値に基いて色合いの調整をしたうえで、受像管に表示するようにしたテレビジョン受像機が知られている（例えば特許文献２参照）。また、撮像した画像を、その撮像した画像の輝度不飽和領域の画像データに基いて色合いの調整をしたうえで、液晶パネルに表示するようにした撮像装置が知られている（例えば特許文献３参照）。また、撮像した画像を、その撮像した画像の所定の領域を用いて算出した調整係数に基いて色合いの調整をしたうえで、液晶パネルに表示するようにした電子カメラが知られている（例えば特許文献４参照）。また、撮像した画像を、ＲＯＭに記憶している交換レンズの分光透過率の情報に基いて色合いの調整をするようにした撮像装置が知られている（例えば特許文献５参照）。
【特許文献１】特開２００５−１３６８５４号公報
【特許文献２】実用新案登録第３０８４７００号公報
【特許文献３】特開２００７−１４２５３５号公報
【特許文献４】特開２００２−２３８０５５号公報
【特許文献５】特開２００２−２３２８９９号公報
【発明の開示】
【発明が解決しようとする課題】
【０００８】
ところで、上述した従来の液晶テレビにおいては、ホワイトバランス調整を行うとき、調整用画像を表示させるために、外部機器である調整用画像入力器を液晶テレビに接続して、調整用画像入力器から液晶テレビに調整用画像データを入力する必要がある。すなわち、量産される多数台の液晶テレビについて、ホワイトバランス調整を効率よく行うには、調整用画像入力器も多数台のものが必要であり、コストアップになる。
【０００９】
また、調整用画像入力器から出力する調整用画像データは、アナログ信号であるため、調整用画像データの出力レベルにバラツキがあると、調整用画像そのものにバラツキを生じることになり、ホワイトバランス調整を適正に行うことができない（ホワイトバランス調整を行っても、個々の液晶テレビにおける表示画像の色合いの差異をなくすことができない）。従って、調整用画像データの出力レベルにバラツキを生じないように、調整用画像入力器における調整用画像データの出力レベルを管理する必要がある。
【００１０】
また、ホワイトバランス調整を行うには、調整用画像入力器を液晶テレビに接続する作業が必要であり、作業効率が悪く、製造コストのアップの要因になる。なお、上述した特許文献１乃至特許文献５に開示の内容を適用したとしても、上記の問題を解決することはできない。
【００１１】
本発明は、上記課題を解決するためになされたものであり、ホワイトバランス調整を行うための調整用画像を、調整用画像データを入力するための外部機器を用いることなく表示させることができる液晶画像表示装置を提供することを目的とする。
【課題を解決するための手段】
【００１２】
上記目的を達成するために請求項１の発明は、カラー画像を表示するための液晶パネルと、カラー画像を色度調整するための色度調整値を記憶した色度調整値メモリとを備え、画像データによる画像を、色度調整値メモリに記憶している色度調整値により色度調整したうえで、液晶パネルに表示する液晶画像表示装置において、色度調整値メモリに記憶している色度調整値の調整であるホワイトバランス調整を行うホワイトバランス調整手段と、ホワイトバランス調整手段によりホワイトバランス調整を行うために用いる調整用画像の画像データである調整用画像データを記憶した調整用画像メモリと、所定の操作又は所定の信号入力を受けて、調整用画像メモリに記憶している調整用画像データによる調整用画像を、色度調整値メモリに記憶している色度調整値により色度調整したうえで、液晶パネルに表示させる調整用画像表示手段と、を備えるものである。
【００１３】
請求項２の発明は、請求項１に記載の液晶画像表示装置において、本装置の動作を制御するために人に操作され、その操作に対応付けられた無線信号を送信する操作手段と、操作手段から送信される無線信号を受信する受信部と、をさらに備え、調整用画像表示手段は、受信部から無線信号により所定の信号入力を受けて、調整用画像メモリに記憶している調整用画像データによる調整用画像を、色度調整値メモリに記憶している色度調整値により色度調整したうえで、液晶パネルに表示させるものである。
【００１４】
請求項３の発明は、請求項１に記載の液晶画像表示装置において、液晶パネルに表示される調整用画像の色温度を測定する色温度測定器が接続されて、その色温度測定器から出力される色温度の測定値が入力される測定値入力部をさらに備え、ホワイトバランス調整手段は、測定値入力部から入力される測定値に基いて、液晶パネルに表示される調整用画像の色温度が予め規定した規定範囲内となるように、自動的に、色度調整値メモリに記憶している色度調整値を調整してホワイトバランス調整を行うものである。
【００１５】
請求項４の発明は、請求項３に記載の液晶画像表示装置において、ホワイトバランス調整手段は、調整用画像表示手段により液晶パネルに調整用画像を表示させたときに、自動的に、測定値入力部から入力される測定値に基いて、ホワイトバランス調整を行うものである。
【００１６】
請求項５の発明は、請求項１に記載の液晶画像表示装置において、放送局から配信されるテレビジョン放送信号を受信して、テレビジョン放送信号に基く画像データによる画像を、色度調整値メモリに記憶している色度調整値により色度調整したうえで、液晶パネルに表示するものである。
【発明の効果】
【００１７】
請求項１の発明によれば、ホワイトバランス調整を行うための調整用画像は、調整用画像メモリに記憶している調整用画像データに基いて液晶パネルに表示される。すなわち、ホワイトバランス調整を行うための調整用画像を、調整用画像データを入力するための外部機器を用いることなく表示させることができる。従って、調整用画像データを入力するための外部機器が不要であり、コストダウンになる。しかも、調整用画像データは、調整用画像メモリにデジタルデータとして記憶されているため、調整用画像データの出力レベルを管理する必要がない。さらに、調整用画像データを入力するための外部機器を液晶テレビに接続する作業が不要であり、作業効率が向上し、製造コストを下げることができる。
【００１８】
請求項２の発明によれば、所定の信号を無線信号により送信することによって、調整用画像を液晶パネルに表示させることができ、作業効率が向上する。
【００１９】
請求項３の発明によれば、測定値入力部から入力された色温度の測定値に基いて、自動的に色度調整値が調整されてホワイトバランス調整が行われる。従って、色度調整値を調整するための操作が不要であり、作業効率が向上する。
【００２０】
請求項４の発明によれば、調整用画像を表示させると、それに引き続いて自動的にホワイトバランス調整が行われる。従って、ホワイトバランス調整を開始させるための操作が不要であり、作業効率が向上する。
【００２１】
請求項５の発明によれば、テレビジョン放送信号に基く画像を液晶パネルに表示する装置において、請求項１と同様の効果が得られる。
【発明を実施するための最良の形態】
【００２２】
以下、本発明を具体化した実施形態による液晶画像表示装置について図面を参照して説明する。図１は、本実施形態による液晶画像表示装置である液晶テレビの構成を示す。液晶テレビ１は、放送局から配信されるテレビジョン放送信号（以下、テレビ放送信号と略す）を受信して、テレビ放送信号に基く画像を表示すると共に、テレビ放送信号に基く音声を出力する装置である。
【００２３】
液晶テレビ１は、チューナ２と、液晶パネル３と、スピーカ４と、調整用画像メモリ５と、測定値入力部６と、リモコン（リモートコントローラ）７と、リモコン受信部８と、液晶テレビ１の動作を制御する制御部９等を備える。制御部９は、ＣＰＵ１１及びＲＯＭ１２等を有している。
【００２４】
ＲＯＭ１２は、液晶テレビ１の動作を制御するためのプログラムや各種データを記憶している。また、ＲＯＭ１２は、液晶テレビ１の動作を制御するための各種データとして、カラー画像を色度調整（ＲＧＢガンマ調整）するための色度調整値（ＲＧＢガンマ値）及び輝度調整（Ｙガンマ調整）するための輝度調整値（Ｙガンマ値）を記憶している。色度調整とは、カラー画像の赤、緑、青の各色の強度の調整であり、画像全体の色合いに反映される。色度調整値には、赤色の強度を調整するＲガンマ値、緑色の強度を調整するＧガンマ値、及び青色の強度を調整するＢガンマ値がある。これらの色度調整値及び輝度調整値は、ＬＵＴ（ルックアップテーブル）として記憶されている。
【００２５】
ＲＯＭ１２は、書換え可能タイプのものであり、ＲＯＭ１２に記憶されている色度調整値は、調整可能（書換え可能）になっている。なお、液晶テレビ１の出荷時等の初期状態においては、ＲＯＭ１２に記憶されている色度調整値は、予め定められた初期値になっている。ＲＯＭ１２によって、色度調整値メモリが構成されている。
【００２６】
この液晶テレビ１は、ＲＯＭ１２に記憶している色度調整値の調整であるホワイトバランス調整を行う機能を有している。ホワイトバランス調整は、外部機器の色温度測定器である２台のカラーアナライザ７０、及び外部機器の調整用リモコン８０を用いて行われる。
【００２７】
カラーアナライザ７０は、測定対象の色温度を測定して、その測定した色温度を示す色温度測定値を出力する。調整用リモコン８０は、人による操作を受けて、ホワイトバランス調整を行うことを示す調整開始信号（所定の信号）を無線信号によって送信する。
【００２８】
チューナ２は、制御部９による制御のもと、テレビ放送信号を受信し、その受信したテレビ放送信号を復調処理、Ａ／Ｄ変換処理、デコード処理等して、テレビ放送信号に基く画像の画像データ及びテレビ放送信号に基く音声の音声データを生成する。液晶パネル３は、制御部９による制御のもと、画像データが供給されることにより、その画像データによる画像を表示する。スピーカ４は、制御部９による制御のもと、音声データが供給されることにより、その音声データによる音声を出力する。
【００２９】
調整用画像メモリ５は、ホワイトバランス調整を行うために用いる調整用画像の画像データである調整用画像データ、及びこの調整用画像データによる調整用画像の色温度を示す基準色温度データを記憶している。測定値入力部６は、ホワイトバランス調整を行うときに利用され、カラーアナライザ７０が接続されて、カラーアナライザ７０から出力される色温度測定値が入力される。
【００３０】
リモコン７は、液晶テレビ１の電源オン／オフ、テレビ放送信号のチャンネル選局等、液晶テレビ１の各種動作を制御するために人に操作され、その操作に対応付けられた操作信号を無線信号によって送信する。リモコン７によって、操作手段が構成されている。リモコン受信部８は、リモコン７から送信された無線信号を受信して、その受信した無線信号に対応する受信信号を出力する。また、リモコン受信部８は、調整用リモコン８０から送信された無線信号を受信して、その受信した無線信号に対応する受信信号を出力する。
【００３１】
制御部９（ＣＰＵ１１）は、リモコン受信部８から出力される受信信号、及びＲＯＭ１２に記憶しているプログラムや各種データに基いて、テレビ放送信号に基く画像を表示するテレビ受像動作、ホワイトバランス調整、調整用画像の表示等、液晶テレビ１の各種動作を制御する。制御部９（ＣＰＵ１１及びＲＯＭ１２に記憶されているプログラムや各種データ）等によって、ホワイトバランス調整手段、及び調整用画像表示手段が構成されている。
【００３２】
テレビ受像動作は、制御部９による制御のもと、以下のようにして行われる。すなわち、制御部９は、テレビ放送信号をチューナ２によって受信させ、そして、チューナ２から出力されるテレビ放送信号に基く画像データによる画像を、ＲＯＭ１２に記憶している輝度調整値により輝度調整し、さらに、ＲＯＭ１２に記憶している色度調整値により色度調整したうえで、液晶パネル３に表示させる。また、制御部９は、チューナ２から出力されるテレビ放送信号に基く音声データによる音声をスピーカ４から出力させる。
【００３３】
調整用画像の表示は、制御部９による制御のもと、以下のようにして行われる。すなわち、制御部９は、調整用画像メモリ５に記憶している調整用画像データを読み出し、そして、その読み出した調整用画像データによる調整用画像を、ＲＯＭ１２に記憶している輝度調整値により輝度調整し、さらに、ＲＯＭ１２に記憶している色度調整値により色度調整したうえで、液晶パネル３に表示させる。従って、調整用画像は、テレビ受像動作においてテレビ放送信号に基く画像データによる画像に行ったのと同じように、輝度調整及び色度調整されたうえで、液晶パネル３に表示される。制御部９は、このような調整画像の表示を、調整用リモコン８０から調整開始信号を受信したときに行う。
【００３４】
ホワイトバランス調整は、カラーアナライザ７０を信号入力部６に接続すると共に、上記のように調整用画像を液晶パネル３に表示し、そして、液晶パネル３に表示されている調整用画像の色温度をカラーアナライザ７０により測定している状態において、制御部９による制御のもと、以下のようにして行われる。すなわち、制御部９は、測定値入力部６から入力される色温度測定値（カラーアナライザ７０により測定された色温度測定値）に基いて、液晶パネル３に表示される調整用画像の色温度が予め規定した規定範囲内（調整用画像メモリ５に記憶している基準色温度データの示す色温度を中心として予め規定した規定範囲内）となるように、自動的に、ＲＯＭ１２に記憶している色度調整値を調整する（書換える）。制御部９は、このようなホワイトバランス調整を、液晶パネル３に調整用画像を表示させた後に、自動的に行う。
【００３５】
図２は、上記ホワイトバランス調整を行うために用いる調整用画像を示す。調整用画像９０は、第１領域画像９１と第２領域画像９２とを含んでいる。第１領域画像９１は、液晶パネル３が理想的なもの（液晶パネル３の透明基板、偏光板、液晶層、カラーフィルタ、バックライト光源等に起因する画質変化を生じず、入力画像データによる画像を完全に再現して表示するもの）であると想定した場合に、色温度が１２０００ｋ（白色に観測される）で輝度レベル（出力可能な最大輝度レベルに対する輝度レベル）が７０％の画像である。また、第２領域画像９２は、液晶パネル３が理想的なものであると想定した場合に、色温度が１２０００ｋで輝度レベルが２５％の画像である。すなわち、調整用画像９０は、１２０００ｋの色温度（第１領域画像９１と第２領域画像９２とが同じ１２０００ｋの色温度）で、第１領域画像９１と第２領域画像９２とで輝度レベルが異なった画像である。
【００３６】
調整用画像メモリ５は、このような調整用画像９０をデジタルデータ化した画像データを、調整用画像データとして記憶しており、また、調整用画像９０の色温度が１２０００ｋであることを示す基準色温度データを記憶している。
【００３７】
このような調整用画像９０を実際に生産した（理想的なものでない）液晶パネル３に表示させると、液晶パネル３の透明基板、偏光板、液晶層、カラーフィルタ、バックライト光源等に起因する画質変化を生じるため、液晶パネル３に表示される調整用画像９０の色温度は、１２０００ｋとは異なる色温度になってしまう。また、液晶パネル３の透明基板、偏光板、液晶層、カラーフィルタ、バックライト光源等の個体差（すなわち液晶パネルの個体差）によって、画質変化の程度にバラツキを生じるため、個々の液晶パネル３に表示される調整用画像９０の色温度に差異を生じてしまう。個々の液晶パネル３に表示される調整用画像９０の色温度の差異は、個々の液晶パネル３に表示される任意のカラー画像の色合いの差異になる。
【００３８】
ホワイトバランス調整では、このような調整用画像９０を、ＲＯＭ１２に記憶している色度調整値により色度調整したうえで、液晶パネル３に表示させ、そして、液晶パネル３に表示される調整用画像９０の色温度が１２０００ｋを中心として予め規定した規定範囲内となるように、ＲＯＭ１２に記憶している色度調整値を調整する。すなわち、液晶パネル３に表示した調整用画像９０の色温度を２台のカラーアナライザ７０によって測定（一方のカラーアナライザ７０で第１領域画像９１の色温度を測定、他方のカラーアナライザ７０で第２領域画像の色温度を測定）し、そして、カラーアナライザ７０により測定された色温度測定値が１２０００ｋを中心として予め規定した規定範囲内となるように、ＲＯＭ１２に記憶している色度調整値を調整する。
【００３９】
個々の液晶パネル３について、このようにホワイトバランス調整を行うことにより、個々の液晶パネル３に表示される調整用画像９０の色温度を同じにすることができる。これにより、個々の液晶テレビ１の液晶パネル３に表示される任意の画像（テレビ放送信号に基く画像）の色合いの差異（すなわち液晶パネル３の個体差による表示画像の色合いの差異）をなくすことができる。
【００４０】
図３は、上記調整用画像の表示及びホワイトバランス調整の動作フローチャートを示す。ホワイトバランス調整は、２台のカラーアナライザ７０を、測定値入力部６に接続すると共に、液晶パネル３に表示される画像の色温度を測定可能なように液晶パネル３の前面にセットした状態で行われる。
【００４１】
まず、調整用リモコン８０が操作されて、リモコン受信部８に調整開始信号が入力される（すなわち調整用リモコン８０から調整開始信号を受信する）と（＃１でＹＥＳ）、制御部９は、調整用画像メモリ５から調整用画像データを読み出す（＃２）。続いて、制御部９は、その読み出した調整用画像データに対して、ＲＯＭ１２に記憶しているＹガンマ値（輝度調整値）によりＹガンマ調整（輝度調整）処理を行い（＃３）、さらに、ＲＯＭ１２に記憶しているＲＧＢガンマ値（色度調整値）によりＲＧＢガンマ調整（色度調整）処理を行う（＃４）。そして、制御部９は、それら調整処理後の調整用画像データを液晶パネル３に供給して、それら調整処理後の調整用画像データによる調整用画像を液晶パネル３に表示させる（＃５）。
【００４２】
これにより、調整用画像メモリ５に記憶している調整用画像データによる調整用画像が、ＲＯＭ１２に記憶しているＲＧＢガンマ値によりＲＧＢガンマ調整されたうえで、液晶パネル３に表示される。そして、このＲＯＭ１２に記憶しているＲＧＢガンマ値によりＲＧＢガンマ調整された調整用画像の色温度が、カラーアナライザ７０によって測定され、カラーアナライザ７０から出力される色温度測定値が、測定値入力部６から入力される。
【００４３】
その後、制御部９は、自動的に、測定値入力部６から入力される色温度測定値（カラーアナライザ７０から出力される色温度測定値）を取り込んで（＃６）、その色温度測定値が規定範囲内（調整用画像メモリ５に記憶している基準色温度データの示す色温度を中心として予め規定した規定範囲内）であるか否かを判断する（＃７）。
【００４４】
ここで、色温度測定値が規定範囲内でなければ（＃７でＮＯ）、制御部９は、自動的に、ＲＯＭ１２に記憶しているＲＧＢガンマ値（Ｒガンマ値、Ｇガンマ値、Ｂガンマ値）を調整する（書換える）（＃８）。このとき、制御部９は、色温度測定値の示す色温度と調整用画像メモリ５に記憶している基準色温度データの示す色温度を比較し、その比較結果に応じて、色温度測定値の示す色温度と基準色温度データの示す色温度との差が少なくなるように、ＲＧＢガンマ値を所定の値だけ変化させる。
【００４５】
その後、制御部９は、自動的に、上記＃４以降の処理を繰り返す。これにより、自動的に、調整用画像メモリ５に記憶している調整用画像データによる調整用画像が、＃８の処理で調整された後のＲＧＢガンマ値によりＲＧＢガンマ調整されたうえで、液晶パネル３に表示され、そして、＃８の処理で調整された後のＲＧＢガンマ値によりＲＧＢガンマ調整された調整用画像の色温度が、カラーアナライザ７０により測定されて、その色温度測定値が、規定範囲内であるか否かが判断される。
【００４６】
＃４〜＃８の処理は、＃７において色温度測定値が規定範囲内となるまで繰り返される。＃７において色温度測定値が規定範囲内であれば、制御部９は、ＲＧＢガンマ値が適正に調整されていると判断して、調整用画像の表示及びホワイトバランス調整を終了する。
【００４７】
＃４〜＃８の処理が繰り返されることにより、液晶パネル３に表示される調整用画像の色温度が予め規定した規定範囲内となるように、自動的に、ＲＯＭ１２に記憶しているＲＧＢガンマ値が調整される。また、＃５の処理の後に、自動的に＃６以降の処理を行うことにより、液晶パネル３に調整用画像を表示させた後に、自動的に、ホワイトバランス調整が行われる。また、調整用リモコン８０が操作されて、リモコン受信部８から調整開始信号が入力されるだけで、自動的に、調整用画像の表示、及びホワイトバランス調整が行われる。
【００４８】
このような構成の液晶テレビ１によれば、ホワイトバランス調整を行うための調整用画像は、調整用画像メモリ５に記憶している調整用画像データに基いて液晶パネル３に表示される。すなわち、ホワイトバランス調整を行うための調整用画像を、調整用画像データを入力するための外部機器を用いることなく表示させることができる。従って、調整用画像データを入力するための外部機器が不要であり、コストダウンになる。しかも、調整用画像データは、調整用画像メモリ５にデジタルデータとして記憶されているため、調整用画像データの出力レベルを管理する必要がない。さらに、調整用画像データを入力するための外部機器を液晶テレビ１に接続する作業が不要であり、作業効率が向上し、製造コストを下げることができる。
【００４９】
また、調整用リモコン８０を操作して、調整用リモコン８０から調整用信号を送信するだけで、調整用画像を液晶パネル３に表示させることができ、作業効率が向上する。しかも、調整用画像を液晶パネル３に表示させると、それに引き続いて自動的にホワイトバランス調整が行われるため、ホワイトバランス調整を開始させるための操作が不要であり、作業効率が向上する。さらに、測定値入力部６から入力される色温度測定値に基いて自動的にＲＧＢガンマ値が調整されるため、ＲＧＢガンマ値を調整するための操作が不要であり、作業効率が向上する。
【００５０】
なお、本発明は、上記実施形態の構成に限られず、種々の変形が可能である。例えば、調整用リモコンから調整開始信号を送信する構成に代えて、リモコンで所定の操作をしたときに、リモコンから調整開始信号を送信するようにし、リモコンから調整開始信号を受信したことを受けて、調整用画像を表示するようにしてもよく、また、液晶テレビに調整用ボタンを設け、調整用ボタンの操作を受けて、調整用画像を表示するようにしてもよい。また、調整用画像は、上記実施形態の画像に限られず、他の画像であってもよい。また、液晶テレビにＲＧＢガンマ値を調整するための調整用つまみを設け、調整用つまみの操作に応じて、ＲＯＭに記憶しているＲＧＢガンマ値を調整するようにしてもよい。また、本発明は、液晶テレビに限られず、例えば、ＤＶＤプレイヤ等のＡＶ機器に接続して使用される液晶画像表示装置や、パーソナルコンピュータに用いられる液晶画像表示装置等、他の液晶画像表示装置にも適用可能である。また、画像を撮影して、その撮影画像を液晶パネルに表示する液晶画像表示装置にも適用可能である。
【図面の簡単な説明】
【００５１】
【図１】本発明の一実施形態に係る液晶テレビの概略構成を示す電気的ブロック構成図。
【図２】同液晶テレビのホワイトバランス調整を行うために用いる調整用画像を示す図。
【図３】同液晶テレビの調整用画像の表示及びホワイトバランス調整の動作を示すフローチャート。
【符号の説明】
【００５２】
１    液晶テレビ（液晶画像表示装置）
２    チューナ
３    液晶パネル
４    スピーカ
５    調整用画像メモリ
６    測定値入力部
７    リモコン（操作手段）
８    リモコン受信部
９    制御部（ホワイトバランス調整手段、調整用画像表示手段）
１１    ＣＰＵ
１２    ＲＯＭ（色度調整値メモリ）
７０    カラーアナライザ（色温度測定器）
８０    調整用リモコン
９０    調整用画像
９１    第１領域画像
９２    第２領域画像
【図１】
2009294296.tif 000003
【図２】
2009294296.tif 000004
【図３】
2009294296.tif 000005